(57)【要約】      （修正有）【課題】安全ベルトの使用による梯子昇降動作は、踏み桟連結具による踏み桟ごとの掛け外しを皆無にし、また足場等への梯子固定連結をワンタッチ連結機構により迅速確実安全にし、また休憩板を付設し、更に梯子同士をシリーズ連結可能にした梯子を提供する。【解決手段】一対の脚柱１００と、脚柱１００間に渡した所定幅の踏み桟２００と、被連結パイプに連結する連結具８０１、８０２を備えた梯子において、前記両脚柱１００の各々の外側部の全長に亘り所定間隔で複数の支持アーム４００の前部を着脱可能に装着し、前記各支持アーム４００に当該脚柱１００と平行にしたガイドレール５００を連結固定し、ガイドレール５００は、牽引状態のガイドロープ８００を収容するとともに、ガイドロープ８００に着脱可能にしてなるロリップ９００を上下移動自在に収容するガイド溝とこのガイド溝に沿って設けられロリップ９００の操作リングを突出ガイドするスリットを設ける。【選択図】図１
0003181705.tif 000002
【実用新案登録請求の範囲】
【請求項１】
一対の脚柱と、脚柱間に渡した所定幅の踏み桟と、被連結パイプに連結する連結具を備えた梯子において、
前記両脚柱の各々の外側部の全長に亘り所定間隔で複数の支持アームの前部を着脱可能に装着し、前記各支持アームに当該脚柱と平行にしたガイドレールを連結固定し、ガイドレールは、牽引状態のガイドロープを収容するとともに、ガイドロープに着脱可能にしてなるロリップを上下移動自在に収容するガイド溝とこのガイド溝に沿って設けられロリップの操作リングを突出ガイドするスリットを形成したことを特徴とする梯子。
【請求項２】
前記被連結パイプに連結する連結具は、前記両脚柱の各々に取り付けられ、被連結パイプに対して閉口連結とその開口解除を可能にしたパイプ用クランプを有し、パイプ用クランプの基部を上下及び回転自在に連結したクランプ保持具を有し、クランプ保持具を当該脚柱に固定又は固定位置調節可能に装着してなることを特徴とする請求項１に記載の梯子。
【請求項３】
前記支持アームのいずれかにおいて、一端部を当該支持アームに回転可能に装着し、他端部を当該支持アームの上方又は下方の支持アームに着脱可能に保持し、回転可能に装着した支持アームに対向する支持アームに他端部を掛けることを可能にした休憩腰掛け用の座面を設けたことを特徴とする請求項１又は請求項２に記載の梯子。
【請求項４】
前記両脚柱の各々の上端部に他の梯子の下端部に挿出入可能にした繋ぎポールを突設したことを特徴とする請求項１又は請求項２又は請求項３に記載の梯子。
【考案の詳細な説明】
【技術分野】
【０００１】  本考案は、各種建設作業、植木剪定作業等に、安全に且つ作業効率を高めて利用することを可能にした梯子に関するものである。
【背景技術】
【０００２】  例えば建設現場に建造作業では予め足場を構築し、各階に亘るエレベータを資材搬送、作業員搬送ように設置するが、上下の足場間にわたす梯子も作業者の重要なアイテムとして活用されている。【０００３】  梯子を扱い利用する場合は、梯子を利用する作業者の基本的な訓練と心得は一般公知の使用基準を厳守することが肝要であることは言うまでもない。
例えば、足元の支え状態の確認、梯子の固定状態の確認、梯子の鉛直状態の確認、作業位置の確認、横向き作業の回避、片手作業の回避、工具の肩掛けベルトの使用等々である。【０００４】梯子の一般構成は、一対の脚柱、脚柱間に渡した所定幅の踏み桟（ふみせん）、脚柱上下端の保護と滑り止めのための脚端具とからなる。これ等の構造部は所定の相対関係で形成され且つその構造体形状を崩さないように堅牢強固なものにしてある。
そして梯子の安全基準は（安全対策）としては一般に、梯子の脚柱の固定具の堅牢化、手摺りの設置、踏み外し転落防止用の安全ベルトの使用、長い梯子では休憩箇所の設置等である。【０００５】  従来、梯子を足場に固定するには、番線で括りつけるのが普通である。手摺りは梯子の頂部域の両側にのみ固定設置していた。安全ベルトの使用は、安全ベルトに連結したフックやクリップ、クランプなどの踏み桟連結具を各踏み桟ごとに掛け外ししながら昇降する厄介なもので怠り勝ちである。休憩箇所の設置は適宜ありあわせの渡し板を足場との間に掛けていた。
特に安全ベルトの使用は、繁雑な作業を伴い作業効率を著しく低下させる。
【考案の概要】
【考案が解決しようとする課題】
【０００６】本考案は、安全ベルト用のロリップを昇降案内するガイドレールを設けて、梯子昇降動作において、踏み桟連結具による踏み桟ごとの掛け外しを皆無にする、また足場等への梯子固定連結をワンタッチで連結する機構により迅速確実安全に可能にし、また休憩板を付設し、更に梯子同士をシリーズ連結可能にした便利で且つ安全な合理的梯子を提供するものである。
【課題を解決するための手段】
【０００７】上記課題を満足させる本考案の基本的な技術構成は、次の（１）の通りである。
（１）、一対の脚柱と、脚柱間に渡した所定幅の踏み桟と、被連結パイプに連結する連結具を備えた梯子において、
前記両脚柱の各々の外側部の全長に亘り所定間隔で複数の支持アームの前部を着脱可能に装着し、前記各支持アームに当該脚柱と平行にしたガイドレールを連結固定し、ガイドレールは、牽引状態のガイドロープを収容するとともに、ガイドロープに着脱可能にしてなるロリップを上下移動自在に収容するガイド溝とこのガイド溝に沿って設けられロリップの操作リングを突出ガイドするスリットを形成したことを特徴とする梯子。【０００８】（２）、前記被連結パイプに連結する連結具は、前記両脚柱の各々に取り付けられ、被連結パイプに対して閉口連結とその開口解除を可能にしたパイプ用クランプを有し、パイプ用クランプの基部を上下及び回転自在に連結したクランプ保持具を有し、クランプ保持具を当該脚柱に固定又は固定位置調節可能に装着してなることを特徴とする前記（１）に記載の梯子。【０００９】（３）、前記支持アームのいずれかにおいて、一端部を当該支持アームに回転可能に装着し、他端部を当該支持アームの上方又は下方の支持アームに着脱可能に保持し、回転可能に装着した支持アームに対向する支持アームに他端部を掛けることを可能にした休憩腰掛け用の座面を設けたことを特徴とする前記（１）又は（２）に記載の梯子。【００１０】（４）、前記両脚柱の各々の上端部に他の梯子の下端部に挿出入可能にした繋ぎポールを突設したことを特徴とする前記（１）〜（３）のいずれか一つに記載の梯子。
【考案の効果】
【００１１】本考案の梯子は、安全ベルトの使用による梯子昇降動作は、梯子の両サイドに着脱可能にしたガイドレール内のガイドロープに、安全ベルトに連結したロリップ（ガイドロープ連結具）を取り付けるのみで、登り作業は、ガイドロープに沿ってロリップを牽引移動させながら、その途中でいつ下降力が作用しても直ちにガイドロープを噛み込みロリップの滑り下降を阻止して、ロリップを介して安全ベルトをした作業者の転落を確実に防止する。
また下降作業中において、踏み桟への移行中はロリップに下方牽引力を加えてガイドロープを噛み込ませて行い、次の踏み桟への移行直前に該下方牽引力を緩めてガイドロープの噛み込を解除しロリップの下方位置移動を行うことを左右交互に順次行って下降作業の安全性を確保するものである。
これにより本考案の梯子は、従来の踏み桟連結具による踏み桟ごとの掛け外し作業を皆無にする。
また本考案の梯子は、足場等の構築パイプ（被連結パイプ）への梯子の固定連結とその解除を前記パイプクランプとクランプ保持具によるワンタッチ操作により迅速確実安全に可能にしたものである。
また、前記両脚柱の各々の上端部に他の梯子の下端部に挿出入可能にした繋ぎポールを突設したので、現場組立てが容易にできる簡便さのある梯子である。
これにより梯子使用しての作業効率を大幅に向上改善したものである。
またガイドレールは短尺の支持アームを介して脚柱の近傍に配置することにより梯子全体の小型軽量化を有利に可能にしたものである。
【図面の簡単な説明】
【００１２】
【図１】本考案の実施例１を示し縦にして置いた梯子Ｈの一部断面の正面説明図である。
【図２】図１の矢視Ａ−Ａからの側面説明図である。
【図３】図１の矢視Ｂ−Ｂからの横断面説明図（１）であり、梯子Ｈと被連結パイプとのパイプ連結具３００の側面図を（２）に示す。
【図４】図１の矢視Ｃ−Ｃからの横断面説明図である。
【図５】本考案の実施例２を示し縦にして置いた梯子Ｈの一部断面の正面説明図である。
【図６】図５の矢視Ｄ−Ｄからの横断面説明図である。
【図７】図５の矢視Ｅ−Ｅからの横断面説明図である。
【図８】図５の矢視Ｆ−Ｆからの横断面説明図である。
【考案を実施するための形態】
【００１３】本考案を実施するための形態は、次の実施例１〜実施例２により詳細に説明する。
【実施例１】
【００１４】実施例１を図１〜図４と共に説明する。
本例の梯子Ｈは、一対の脚柱１００と、脚柱１００間に渡した踏み桟２００と、パイプ連結具３００と、支持アーム４００付ガイドレール５００と、腰掛用座面６００と、繋ぎポール７００とからなる。【００１５】脚柱１００は、アルミや鉄等の金属製で横断面形状が矩形型の筒状にしてある。
脚柱１００間に渡した踏み桟２００は、脚柱の長手方向に所定間隔で配置し所定径で該外周面に滑り止めの溝型エンボス加工をしてある。【００１６】パイプ連結具３００は、被連結パイプに連結するもので、前記両脚柱の各々に取り付けられ、被連結パイプに対して閉口連結とその開口解除を可能にしたパイプ用クランプ３０１を有し、パイプ用クランプ３０１の基部を上下及び回転自在に連結したクランプ保持具３０２を有し、クランプ保持具３０２を当該脚柱に固定位置調節可能に装着してなる。【００１７】支持アーム４００は、当該脚柱の全長に亘り所定間隔で複数個配置し、各アームの前部を前記両脚柱の各々の外側部に形成した挿入穴４０１に挿出入可能にし、スプリングを有する抜け出防止用のロックピン４０４を有するロックピン式止め具４０２を付設してある。ロックピン式止め具４０２は外部からロックピン４０４の操作を可能にしたスプリング式の操作アーム４０３をロックピン４０４に連結してある。【００１８】支持アーム４００付のガイドレール５００は、牽引状態のガイドロープ８００を収容するとともに、安全ベルト用のロリップであるロリップ９００のガイドロープ挟持部９０１を上下移動自在に収容するガイド溝５０２を形成し、このガイド溝５０２に沿って設けられロリップの操作リング９０２を突出ガイドするスリット５１０を形成する。【００１９】ロリップ９００は、ガイドロープ挟持部９０１を開いてガイドロープ８００を挿入して閉め、挿入したロープ部は挟持歯での噛み込とその解除を可能にした公知のものである。
ロリップ９００はガイドロープ挟持部９０１に、前記挟持歯のロープ噛み込と解除をする操作リング９０２を付設し、操作リング９０２はスリット５１０から突出させてその一端に連結ロープ９０３を連結し、この連結ロープ９０３を安全ベルトに連結するフック９０４を連結してある。
梯子Ｈを登る作業者は、装着した安全ベルトの連結リングに予めフック９０４を連結しておくものである。【００２０】ガイドロープ８００は上下端部をガイドレール５００の上下端部の連結具８０１、８０２に連結して牽引状態にする。連結具８０１は、ロープ連結リング８０３と、ロープ連結リング８０３の操作ネジロッド８０４と、操作ネジロッド８０４のガイド８０５と、ガイド８０５に回転可能に装着し操作ネジロッド８０４に螺合してガイドロープ８００の牽引力の調節または緩みを吸収するための調節螺子８０６と有する。【００２１】腰掛用伸縮座面６００は、踏み桟２００より長くすることを可能にして中央部をスライド伸縮可能にした一対の座板６０２，６０３ロリップ９００を有し、下端部を左側の支持アーム４００に回転可能に装着し、座板６０３の上端部にフック６０１を設けたもので、通常は当該支持アーム４００の上方の支持アーム４００にフック６０１を着脱可能にして直立状態にしてある。使用の際は上端部を右側に押して矢印のように回動させ次に座板６０２，６０３間を伸ばして、右側の支持アーム４００に図示のように掛けて腰掛け休憩を可能にする。【００２２】繋ぎポール７００は、前記両脚柱の各々の上端部に突設した円柱状パイプであり、他の繋用梯子の下端部に形成した挿入穴に挿出入可能にし、スプリングを有する抜け出防止用のロックピン式止め具４０２を付設してある。ロックピン式止め具４０２は外部から操作可能に操作アーム４０３の連結してある。
【実施例２】
【００２３】実施例２を図５〜図８と共に説明する。
実施例２は実施例１に比して梯子全体の小型・軽量化を図ったものである。
実施例１と共通する構成は、同一符号を付して、その詳細を省略する。
実施例２は、実施例１と異なる構成は、ガイドレール５００と腰掛用伸縮座面６００の配置とそれに伴う若干の変更である。【００２４】ガイドレール５００は短尺の支持アーム４００を介して脚柱１００の近傍に配置しこれに配置する関連のガイドロープ８００とその牽引調節手段とロリップ９００は実施例１と同一構成にしてある。但し、ガイドレール５００のロリップ９００をガイドする縦スリット５０１の向きは内側にして形成してあるがこれに限ることは無く正面に形成配置してよく或いは外側面に形成配置してもよい。【００２５】腰掛用伸縮座面６００は、ガイドレール５００の外側部の上下に固定して突設した一対の支持アーム４００Ｘ１、４００Ｘ２に実施例１と同様に取り付けて、直立状態にしてある。
使用の際は腰掛用伸縮座面６００右側に押してフック６０１を外して矢印のように回動させ次に座板６０２，６０３間を伸ばして、図示のように持アーム４００Ｘ１とは反対側に対面する位置のガイドレール５００外側面に固定して突設した支持アーム４００Ｘ３掛けて腰掛け休憩を可能にする。
【産業上の利用可能性】
【００２６】  本考案は前記した優れた作用効果を呈するものである。このため、各種建設業界及び植木剪定等の造園業界に貢献すること多大なものがある。
【符号の説明】
【００２７】Ｈ：梯子                                    ６００：腰掛用伸縮座面
１００：脚柱                                ６０１：フック
２００：踏み桟                              ７００：繋ぎポール
３００：パイプ連結具                        ７０１：ロックピン式止め具
３０１：パイプ用クランプ                    ７０２：操作アーム
３０２：クランプ保持具                      ８００：ガイドロープ
４００：支持アーム                          ８０１、８０２：連結具
４０１：挿入穴                              ８０３：ロープ連結リング
４０２：ロックピン式止め具                  ８０４：操作ネジロッド
４０３：操作アーム                          ８０５：ガイド
５００：ガイドレール                        ８０６：調節螺子
５０２：ガイド溝                            ９００：ロリップ
５０１：開閉扉                              ９０１：ガイドロープ挟持部
【図１】
0003181705.tif 000003
【図２】
0003181705.tif 000004
【図３】
0003181705.tif 000005
【図４】
0003181705.tif 000006
【図５】
0003181705.tif 000007
【図６】
0003181705.tif 000008
【図７】
0003181705.tif 000009
【図８】
0003181705.tif 000010